(57)【要約】  本発明は、猫が立ち上がった状態でも爪を研ぐことができる猫用爪研ぎを提供する。本発明に係る猫用爪研ぎは、猫が爪を研ぐための爪研ぎ部材（ａ）が表面に露出するように設置された壁部材（ｘ）の複数を高さ方向に連結させ、その連結部がストッパー部材（ｓ）により補強された壁部材（Ｘ）と、前記壁部材（Ｘ）の底部に接続された底面部材（Ｙ）とを有する。前記ストッパー部材として、例えば、互いに隣り合う壁部材（ｘ）の連結部の側面及び背面を固定するＬ字サポートを用いることができる。
2015033672.tif 000002
【特許請求の範囲】
【請求項１】
猫が爪を研ぐための爪研ぎ部材（ａ）が表面に露出するように設置された壁部材（ｘ）の複数を高さ方向に連結させ、その連結部がストッパー部材（ｓ）により補強された壁部材（Ｘ）と、
前記壁部材（Ｘ）の底部に接続された底面部材（Ｙ）と
を有する猫用爪研ぎ。
【請求項２】
前記ストッパー部材（ｓ）が、互いに隣り合う壁部材（ｘ）の連結部の側面及び背面を固定するＬ字サポートである請求項１に記載の猫用爪研ぎ。
【請求項３】
前記底面部材（Ｙ）には、猫が爪を研ぐための爪研ぎ部材（ｂ）が表面に露出するように設置されている請求項１又は２に記載の猫用爪研ぎ。
【請求項４】
前記壁部材（Ｘ）と前記底面部材（Ｙ）の側面に接続された、前記壁部材（Ｘ）と前記底面部材（Ｙ）との接続を補強する側面部材（Ｚ）を有する請求項１〜３のいずれか１項に記載の猫用爪研ぎ。
【発明の詳細な説明】
【技術分野】
【０００１】
本発明は、猫が爪を研ぐための猫用爪研ぎに関する。
【背景技術】
【０００２】
猫には、カーペット、段ボール、木などに爪をたてて爪研ぎをする習性がある。その理由としては、古い爪をはがして鋭くするため、ニオイをつけて自分の場所であることを示すため、ストレス解消のためなどと言われている。そのため、放っておくと家のカーペット、柱、壁、家具など様々な場所で猫が爪研ぎをしてしまい、家中が傷だらけになってしまう。そこで、専用の猫用爪研ぎを猫に与えることが有効である。【０００３】
特許文献１及び２には、平面状の猫用爪研ぎが記載されている。これらの猫用爪研ぎは、猫が遊びながらにして爪が研げるように工夫されている。また、非特許文献１には、「Ｇａｒｉ  Ｇａｒｉ  Ｌｏｕｎｇｅ（ガリガリラウンジ）」や「Ｇａｒｉ  Ｇａｒｉ  Ｃｉｒｃｌｅ（ガリガリサークル）」なる猫用爪研ぎが記載されている。これらの猫用爪研ぎは、猫がリラックスしてくつろぎながら爪が研げるように工夫されている。【０００４】
ただし、猫には上に登ろうとする習性もあり、上記のような平面状の猫用爪研ぎを猫に与えても、壁や柱など登ろうとしながら爪研ぎをすることを防止することはできない。そこで、特許文献３及び４には、壁型の猫用爪研ぎが記載されている。また、非特許文献１には、「Ｇａｒｉ  Ｇａｒｉ  Ｗａｌｌ（ガリガリウォール）」なる壁型の猫用爪研ぎが記載されている。これらの猫用爪研ぎは、猫が壁部分を登ろうとする際に爪が研げるように工夫されている。
【先行技術文献】
【特許文献】
【０００５】
【特許文献１】実開平４−７１４５０号公報
【特許文献２】特開平８−１１８号公報
【特許文献３】実開昭６３−１９３４５４号公報
【特許文献４】特開２００４−３２１０４４号公報
【非特許文献】
【０００６】
【非特許文献１】http://www.aimcreate.co.jp/shouhin/products_mju.html
【発明の概要】
【発明が解決しようとする課題】
【０００７】
しかし、これまでの壁型の猫用爪研ぎ製品は高さがそれほど高くなく、大きめの猫が立ち上がった状態では爪が研げなかった。そのため、特に大きめの猫を飼っている家では、壁や柱などで爪研ぎをすることを完全に防止することはできなかった。一方で、猫用爪研ぎの高さを高くすると製品パッケージが大きくなりやすい。製品パッケージを小さくするために猫用爪研ぎを分割型にすると、実際に猫が立ち上がった状態で爪を研ぐときの力で猫用爪研ぎが分離又は折れ曲がることがあった。【０００８】
そこで、本発明は、猫が立ち上がった状態でも爪を研ぐことができる猫用爪研ぎを提供することを目的とする。
【課題を解決するための手段】
【０００９】
本発明は、猫が爪を研ぐための爪研ぎ部材（ａ）が表面に露出するように設置された壁部材（ｘ）の複数を高さ方向に連結させ、その連結部がストッパー部材（ｓ）により補強された壁部材（Ｘ）と、前記壁部材（Ｘ）の底部に接続された底面部材（Ｙ）とを有する猫用爪研ぎである。
【発明の効果】
【００１０】
本発明によれば、猫が立ち上がった状態でも爪を研ぐことができる猫用爪研ぎを提供することを目的とする。
【図面の簡単な説明】
【００１１】
【図１】本発明の一実施形態に係る猫用爪研ぎの構成を前面方向から示す模式的斜視図である。
【図２】本発明の一実施形態に係る猫用爪研ぎの組み立て前の構成を示す模式的斜視図である。
【図３】本発明の一実施形態に係る猫用爪研ぎの構成を背面方向から示す模式的斜視図である。
【図４】本発明の一実施形態に係る猫用爪研ぎの使用状態を示す写真である。
【発明を実施するための形態】
【００１２】
本発明の一実施形態に係る猫用爪研ぎの構成を図１に示す。図１の猫用爪研ぎ１は、猫が爪を研ぐための爪研ぎ部材（ａ）１６が表面に露出するように設置された壁部材（ｘ）１５の複数を高さ方向に連結させた壁部材（Ｘ）１０と、壁部材（Ｘ）１０の底部に接続された底面部材（Ｙ）２０とを有する。
【００１３】
壁部材（ｘ）１５の数（壁部材（Ｘ）１０の分割数）は、２つでもよく、３つでもよく、４つ以上でもよいが、組み立ての容易さから２つが好ましい。壁部材（Ｘ）１０が２つ以上の壁部材（ｘ）１５に分割された分割型にすることで、猫用爪研ぎの製品パッケージを小型化することができる。複数の壁部材（ｘ）１５は、完全に分離した状態でもよいが、図２に示すように、壁部材（ｘ）１５の背面を共通に有し、折れ曲がる状態であることが好ましい。もちろん、壁部材（ｘ）１５の前面を共通に有し、折れ曲がる状態であってもよい。
【００１４】
互いに隣り合う壁部材（ｘ）１５の間は、例えば両面テープで接合することができる。また、壁部材（Ｘ）１０は、壁部材（ｘ）１５間の連結を補強するためのストッパー部材（ｓ）を有する。こうすることで、猫が立ち上がった状態で爪を研ぐときの力で猫用爪研ぎが分離又は折れ曲がることを抑制することができる。
【００１５】
ストッパー部材（ｓ）としては、図２に示すように、互いに隣り合う壁部材（ｘ）１５の連結部の側面及び背面を固定するＬ字サポート１７とすることが好ましい。Ｌ字サポート１７と、壁部材（ｘ）１５の側面及び／又は背面との間は、例えば両面テープで接合することができる。なお、ストッパー部材（ｓ）は、Ｌ字サポート１７に限られず、２つのＬ字サポート１７を連結した形状を有するコの字（Ｕ字）サポートを用いて、互いに隣り合う壁部材（ｘ）１５の連結部の両側面及び背面を固定することもできる。
【００１６】
壁部材（ｘ）１５の高さ（ｈ１又はｈ２）は、６０ｃｍ以下であることが好ましく、２０〜５０ｃｍであることがより好ましく、３０〜４０ｃｍであることがさらに好ましく、例えば３５ｃｍとすることができる。壁部材（ｘ）１５の高さは、壁部材（ｘ）１５ごとに異なっていてもよい（ｈ１≠ｈ２）が、同じである（ｈ１＝ｈ２）ことが好ましい。
【００１７】
壁部材（Ｘ）１０の高さＨは、７５ｃｍ以上に設定することが好ましい。こうすることで、大きめの猫が立ち上がった状態でも爪を研ぐことができる位置に、爪研ぎ部材（ａ）１６を露出させることができる。壁部材（Ｘ）１０の高さＨは、８０〜１２０ｃｍとすることが好ましく、８５〜１００ｃｍ以上とすることがより好ましく、８８ｃｍ〜９５ｃｍとすることがさらに好ましく、例えば９０ｃｍとすることができる。ただし、小さめの猫用であれば、壁部材（Ｘ）１０の高さＨは７５ｃｍ未満でも構わない。猫が立ち上がった状態で爪を研ぐ観点から、壁部材（Ｘ）１０の高さＨは、５０ｃｍ以上であることが好ましく、例えば７０ｃｍとすることができる。こうすることで、猫用爪研ぎの製品パッケージをより小型化することができる。
【００１８】
壁部材（Ｘ）１０は、図１に示すように、直方体からなる平板状とすることができる。壁部材（Ｘ）１０の幅Ｗは、大きめの猫が登ることを考慮し、３０〜４０ｃｍとすることが好ましく、例えば３６ｃｍとすることができる。壁部材（Ｘ）１０の厚さ（奥行）は、爪研ぎ部材（ａ）１６を設置することを考慮し、２〜１０ｃｍとすることが好ましく、例えば５ｃｍとすることができる。
【００１９】
壁部材（Ｘ）１０の表面には、壁部材（ｘ）１５の爪研ぎ部材（ａ）１６が露出するように設置される。こうすることで、猫が壁部材（Ｘ）１０を登ろうとする際に爪研ぎ部材（ａ）１６を削って爪を研ぐことができる。例えば、壁部材（Ｘ）１０を、全体として正面側が開口された箱体の形状とし、その開口部から爪研ぎ部材（ａ）１６をはめ込むようにして、爪研ぎ部材（ａ）１６を設置することができる。
【００２０】
爪研ぎ部材（ａ）１６の位置に関しては、壁部材（Ｘ）１０の少なくとも高さ１０〜７５ｃｍの位置の表面に爪研ぎ部材（ａ）１６が露出するように設置されることが好ましい。こうすることで、大きめの猫が立ち上がった状態でも爪研ぎ部材（ａ）１６で爪を研ぐことができるようになる。爪研ぎ部材（ａ）１６は、壁部材（Ｘ）１０の表面全面に露出するように設置されることが好ましい。
【００２１】
爪研ぎ部材（ａ）１６の材質としては、カーペット、段ボール、木などが挙げられるが、段ボールが好ましい。段ボール製の爪研ぎ部材（ａ）１６としては、段ボールが複数積層された段ボールブロックが挙げられる。段ボールブロックであれば、全体として正面側が開口された箱体の形状をなしている壁部材（Ｘ）１０に、簡単にはめ込むことができる。
【００２２】
底面部材（Ｙ）２０は、壁部材（Ｘ）１０の底部に接続され、壁部材（Ｘ）１０を支えて倒れにくくする役割を有していればよいが、さらに猫が寝転がってくつろぐラウンジとしての役割や、猫が爪研ぎ部材（ａ）１６を削って爪を研いだ際の削りカスを受ける役割を有することが好ましい。したがって、底面部材（Ｙ）２０は、壁部材（Ｘ）１０と同じ幅Ｗを持つ箱体であることが好ましい。
【００２３】
底面部材（Ｙ）２０の奥行Ｄは、大きめの猫が寝転がることを考慮し、２０〜４０ｃｍとすることが好ましく、例えば２９ｃｍとすることができる。底面部材（Ｙ）２０の厚さ（高さ）は、猫が内部でくつろげることを考慮し、５〜１５ｃｍとすることが好ましく、例えば１０ｃｍとすることができる。
【００２４】
底面部材（Ｙ）２０には、猫が爪を研ぐための爪研ぎ部材（ｂ）２１が表面に露出するように設置されていることが好ましい。こうすることで、猫が寝転がりながらも爪研ぎ部材（ｂ）２１を削って爪を研ぐことができる。爪研ぎ部材（ｂ）２１は、爪研ぎ部材（ａ）１６と同様のものを用いることができる。
【００２５】
本発明に係る猫用爪研ぎ１は、さらに、壁部材（Ｘ）１０と底面部材（Ｙ）２０の側面に接続された、壁部材（Ｘ）１０と底面部材（Ｙ）２０との接続を補強する側面部材（Ｚ）３０を有することが好ましい。こうすることで、壁部材（Ｘ）１０がより倒れにくくなる。側面部材（Ｚ）３０としては、図１〜３に示すように、壁部材（Ｘ）１０と底面部材（Ｙ）２０の側面に設置された三角形状の仕切り板であることが好ましい。
【００２６】
以上のような本発明に係る猫用爪研ぎであれば、その使用状態を図４に示すように、例えば、大きめの猫が立ち上がった状態でも爪を研ぐことができる。
【符号の説明】
【００２７】
１    猫用爪研ぎ
１０  壁部材（Ｘ）
１５  壁部材（ｘ）
１６  爪研ぎ部材（ａ）
１７  Ｌ字サポート
２０  底面部材（Ｙ）
２１  爪研ぎ部材（ｂ）
３０  側面部材（Ｚ）
Ｈ    高さ
ｈ１  高さ
ｈ２  高さ
Ｗ    幅
Ｄ    奥行
【図１】
2015033672.tif 000003
【図２】
2015033672.tif 000004
【図３】
2015033672.tif 000005
【図４】
2015033672.tif 000006
【国際調査報告】
2015033672.tif 000007
2015033672.tif 000008
2015033672.tif 000009
2015033672.tif 000010